(57)【要約】【課題】超高解像度を持つプラズマディスプレイパネルのスキャン時間及びスキャンラインを１／２に低減する。【解決手段】本プラズマディスプレイパネルは、互いに対向する第１及び第２基板と、第１基板と第２基板との間にＲ、Ｇ、またはＢ放電セルを区画する隔壁と、各放電セル内で放電を引き起こすように第１基板と第２基板との間に配される複数の維持電極と、各放電セル内で維持電極と交差するように第１基板と第２基板との間に配される複数のアドレス電極と、可視光を発するように放電セル内に配される蛍光体層とを備え、維持電極が延長する方向を第１方向、アドレス電極が延長する方向を第２方向とした時、第１方向には、ＢまたはＲ放電セルのうちいずれか一つがＧ放電セルと共に一つの画素をなすように配され、第２方向には、第２方向に隣接したＧ放電セルが第１方向に放電セルピッチの１／２ほどずつ離隔するように配される。【選択図】図２
2010034053.tif 000002
【特許請求の範囲】
【請求項１】
互いに対向する第１基板及び第２基板と、
前記第１基板と第２基板との間にＲ放電セル、Ｇ放電セル、またはＢ放電セルを区画する隔壁と、
前記各放電セル内で放電を引き起こすように前記第１基板と第２基板との間に配される複数の維持電極と、
前記各放電セル内で前記維持電極と実質的に交差するように、前記第１基板と第２基板との間に配される複数のアドレス電極と、
可視光を発するように前記放電セル内に配される蛍光体層と、を備え、
前記維持電極が実質的に延長する方向を第１方向、前記アドレス電極が実質的に延長する方向を第２方向とした時、
前記第１方向には、前記Ｂ放電セルまたは前記Ｒ放電セルのうちいずれか一つが、前記Ｇ放電セルと共に一つの画素をなすように放電セルが配され、
前記第２方向には、前記第２方向に隣接したＧ放電セルが、第１方向に放電セルピッチの１／２ほどずつ離隔するように放電セルが配されるプラズマディスプレイパネル。
【請求項２】
前記プラズマディスプレイパネルの表示領域内にある前記Ｒ放電セル、前記Ｇ放電セル、及び前記Ｂ放電セルの全体数比がほぼ１：２：１である請求項１に記載のプラズマディスプレイパネル。
【請求項３】
前記隔壁は、四角隔壁である請求項１に記載のプラズマディスプレイパネル。
【請求項４】
前記複数の維持電極は、各放電セルごとに互いに平行に配されたＸ電極とＹ電極とを備える請求項１に記載のプラズマディスプレイパネル。
【請求項５】
前記複数の維持電極のＸ電極とＹ電極とは、第２方向にＸ１、Ｙ１、Ｙ２、Ｘ２、Ｘ３、Ｙ３、Ｙ４、Ｘ４、…、Ｘｎ−３、Ｙｎ−３、Ｙｎ−２、Ｘｎ−２、Ｘｎ−１、Ｙｎ−１、Ｙｎ、Ｘｎの順に配される請求項４に記載のプラズマディスプレイパネル。
【請求項６】
前記複数の維持電極のＸ電極とＹ電極とは、第２方向にＸ１、Ｙ１、Ｘ２、Ｙ２、Ｘ３、Ｙ３、Ｘ４、Ｙ４、…、Ｘｎ−３、Ｙｎ−３、Ｘｎ−２、Ｙｎ−２、Ｘｎ−１、Ｙｎ−１、Ｘｎ、Ｙｎの順に配される請求項４に記載のプラズマディスプレイパネル。
【請求項７】
前記第２方向に隣接した二つの放電セルに対応するように配される二つのＹ電極は、前記二つのＹ電極に一つのスキャン信号が同時に印加されるように、互いに電気的に連結された請求項５に記載のプラズマディスプレイパネル。
【請求項８】
前記複数の維持電極は、第２方向に隣接した二つの放電セルそれぞれに配されるＸ電極及び前記隣接した二つの放電セルに共通して配されるＹ電極を備える請求項１に記載のプラズマディスプレイパネル。
【請求項９】
第１方向に延長するいずれか１行の放電セルは、Ｂ、Ｇ、Ｒ、Ｇ、Ｂ、Ｇ、…の順に配され、前記いずれか１行と隣接した他の行の対応する放電セルは、Ｒ、Ｇ、Ｂ、Ｇ、Ｒ、Ｇ、…の順に配される請求項１に記載のプラズマディスプレイパネル。
【請求項１０】
第１方向に延長するいずれか１行の放電セルは、Ｂ、Ｇ、Ｒ、Ｇ、Ｂ、Ｇ、…の順に配され、前記いずれか１行と隣接した他の行の対応する放電セルは、Ｂ、Ｇ、Ｒ、Ｇ、Ｂ、Ｇ、…の順に配される請求項１に記載のプラズマディスプレイパネル。
【請求項１１】
プラズマディスプレイパネルの中心を通過する第１方向軸を基準に第２方向に延長するアドレス電極が上部と下部とに分れて配され、上部のアドレス電極と下部のアドレス電極とには独立的にアドレス信号が印加される請求項１に記載のプラズマディスプレイパネル。
【請求項１２】
プラズマディスプレイパネルの中心を通過する第１方向軸を基準に、対応する上部と下部それぞれのＹ電極は互いに電気的に連結され、同じスキャン信号が印加されるように構成された請求項４に記載のプラズマディスプレイパネル。
【発明の詳細な説明】
【技術分野】
【０００１】
本発明は、プラズマディスプレイパネル（Ｐｌａｓｍａ Ｄｉｓｐｌａｙ Ｐａｎｅｌ、以下、ＰＤＰ）に係り、より詳細には、超高解像度を持つＰＤＰのスキャン時間及びスキャンラインを１／２に低減させることができるＰＤＰに関する。
【背景技術】
【０００２】
近来には従来の陰極線管（Ｃａｔｈｏｄｅ Ｒａｙ Ｔｕｂｅ；ＣＲＴ）ディスプレイ装置を代替するものとして注目されているＰＤＰは、複数の電極が形成された二枚の基板間に放電ガスが注入された後、放電電圧が加えられ、これによって発生する紫外線により、所定のパターンで形成された蛍光体が励起されて所望の画像を得る装置である。
ＰＤＰが動映像を表現する方式を例示すれば、一つの画像フレーム６０個が集まって１秒の動映像を作る。一つの画像フレームは２５６階調のグレースケールで表現される。このために一つの画像フレームは第１サブフィールド〜第８サブフィールドに時分割され、各サブフィールド毎の画像が連続的に重なって一つの画像で表示される。各サブフィールドでは、リセット放電、アドレス放電、及び維持放電が順次に起きる。
リセット放電は、各放電セル内に既に存在した壁電荷を除去することによって、あらゆる放電セル内の荷電粒子の状態を同一にする。リセット放電が起きた以後、画像が具現される放電セルを選択するために、アドレス放電が起きる。アドレス放電は、ＰＤＰの第１行の放電セルから第ｎ行の放電セルまで１行ずつ順次に起こりつつ、画像が具現される放電セルの内面に壁電荷を蓄積する役割を行う。このようにアドレス放電を通じて放電セルの内面に壁電荷を蓄積させることで放電セルが選択され、蓄積された壁電荷の助けを受けて選択された放電セルだけで維持放電が起きる。維持放電が起きた放電セル内では、紫外線が蛍光体を励起させて可視光を放出されることによって画像が表示される。
【０００３】
図１は、従来のＰＤＰで、放電セルの配置及び維持電極とアドレス電極との配置を示す図面である。図面を参照すれば、Ｒ放電セル、Ｇ放電セル、Ｂ放電セルが集まって一つの画素Ｐをなす。維持電極は互いに平行に配されたＸ電極Ｘ１、Ｘ２とＹ電極Ｙ１、Ｙ２とを備え、各放電セルで維持電極に交差するようにアドレス電極Ａ１、Ａ２、Ａ３が配される。図１には一部のみ図示されているが、１９２０×１０８０個の画素を持つＦＨＤ級の高解像度のＰＤＰでは、１９２０×３個のアドレス電極と１０８０個のＹ電極（スキャン電極）とがある。これらのＰＤＰでは、アドレス放電時にＹ電極Ｙ１、Ｙ２に印加されるスキャン信号が各放電セルの行ごとに順次に印加される。すなわち、１回のアドレス放電のためには、合計１０８０回のスキャン信号が第１行の放電セルから第１０８０行の放電セルまで順次に印加される。
ところが、ＰＤＰの解像度が高くなるほど放電セルの数、Ｙ電極の数及びアドレス電極の数が増加し、それに比例してＹ電極に印加されるべきスキャン信号の数が増加する。例えば、４０９６×２１６０個の画素を持つ超高解像度のＰＤＰは、４０９６×３個のアドレス電極と２１６０個のＹ電極とを備えるが、この場合、１回のアドレス放電のためには合計２１６０回のスキャン信号が順次に印加されねばならないので、スキャンにかかる全体時間が長くなる。したがって、１行の放電セルに対応するスキャン信号を印加できる時間が短くなる。すなわち、ＰＤＰの解像度が高くなるほど、各Ｙ電極にスキャン信号を印加するのに十分な時間を確保し難いという問題点がある。
【先行技術文献】
【特許文献】
【０００４】
【特許文献１】韓国特許出願第２００８−０００６１６７号（韓国特許出願公開第２００９−００７９１３８号明細書）
【特許文献２】韓国特許出願第２００７−００８７７３１号（韓国特許第０７９４１８２号明細書）
【特許文献３】韓国特許出願第２００７−０００６３４４号（韓国特許出願公開第２００８−００６８４９６号明細書）
【発明の概要】
【発明が解決しようとする課題】
【０００５】
前記した課題を解決するために、本発明は、高解像度または超高解像度のＰＤＰであっても、スキャン信号が印加されねばならないスキャンライン数を画期的に低減させることによって、各Ｙ電極にスキャン信号を印加するのに十分な時間を確保できるＰＤＰを提供しようとするものである。
【課題を解決するための手段】
【０００６】
本発明の一態様によれば、（ｉ）互いに対向する第１基板及び第２基板、（ｉｉ）前記第１基板と第２基板との間にＲ放電セル、Ｇ放電セル、またはＢ放電セルを区画する隔壁、（ｉｉｉ）前記各放電セル内で放電を引き起こすように前記第１基板と第２基板との間に配される複数の維持電極、（ｉｖ）前記各放電セル内で前記維持電極と実質的に交差するように、前記第１基板と第２基板との間に配される複数のアドレス電極、（ｖ）可視光を発するように前記放電セル内に配される蛍光体層を備え、前記維持電極が実質的に延長する方向を第１方向、前記アドレス電極が実質的に延長する方向を第２方向とした時、前記第１方向には、前記Ｂ放電セルまたは前記Ｒ放電セルのうちいずれか一つが、前記Ｇ放電セルと共に一つの画素をなすように放電セルが配され、前記第２方向には、前記第２方向に隣接したＧ放電セルが、第１方向に放電セルピッチの１／２ほどずつ離隔するように放電セルが配されるＰＤＰが開示される。
このように、隣接行の放電セルを１／２ピッチほどずつ第１方向に離隔させるため、追加的なアドレス電極を挿入することができる。それにより、第２方向に隣接した画素対のＹ電極に印加されるスキャン信号は同一でありうる。したがって、スキャン信号が印加されるスキャンラインを半分に低減させることができる。それだけでなく、二つの放電セルのみで一つの画素を形成するため、解像度の高いＰＤＰを作ることができる。
【０００７】
前記ＰＤＰの表示領域内にある前記Ｒ放電セル、前記Ｇ放電セル、及び前記Ｂ放電セルの全体数比がほぼ１：２：１である。なぜなら、１画素は二つの放電セルで形成されるが、１画素にＧ放電セルが必ず含まれるためである。
前記隔壁は、四角隔壁でありうる。しかし、本発明の保護範囲はこれに限定されるものではなく、二重四角隔壁でありうる。それだけではなく、ストライプ形状の隔壁でもありうる。
前記複数の維持電極は、各放電セルごとに互いに平行に配されたＸ電極とＹ電極とを備える。前記複数の維持電極のＸ電極とＹ電極とは、第２方向にＸ１、Ｙ１、Ｙ２、Ｘ２、Ｘ３、Ｙ３、Ｙ４、Ｘ４、…、Ｘｎ−３、Ｙｎ−３、Ｙｎ−２、Ｘｎ−２、Ｘｎ−１、Ｙｎ−１、Ｙｎ、Ｘｎの順に配される。これとは異なって、前記複数の維持電極のＸ電極とＹ電極とは、第２方向にＸ１、Ｙ１、Ｘ２、Ｙ２、Ｘ３、Ｙ３、Ｘ４、Ｙ４、…、Ｘｎ−３、Ｙｎ−３、Ｘｎ−２、Ｙｎ−２、Ｘｎ−１、Ｙｎ−１、Ｘｎ、Ｙｎの順に配されてもよい。
前記第２方向に隣接した二つの放電セルに対応するように配される二つのＹ電極は、前記二つのＹ電極に一つのスキャン信号が同時に印加されるように互いに電気的に連結される。したがって、スキャン信号が印加されるスキャンラインが半分に減少する。
前記複数の維持電極は、第２方向に隣接した二つの放電セルそれぞれに配されるＸ電極及び前記隣接した二つの放電セルに共通して配されるＹ電極を備える。Ｙ電極の数を１／２に低減させることができるので、コストダウンだけではなくスキャン信号が印加されるスキャンラインも半分に減少する。
【０００８】
第１方向に延長するいずれか１行の放電セルは、Ｂ、Ｇ、Ｒ、Ｇ、Ｂ、Ｇ、…の順に配され、前記いずれか１行と隣接した他の行の対応する放電セルは、Ｒ、Ｇ、Ｂ、Ｇ、Ｒ、Ｇ、…の順に配される。それだけではなく、第１方向に延長するいずれか１行の放電セルは、Ｂ、Ｇ、Ｒ、Ｇ、Ｂ、Ｇ、…の順に配され、前記いずれか１行と隣接した他の行の対応する放電セルは、Ｂ、Ｇ、Ｒ、Ｇ、Ｂ、Ｇ、…の順に配される。
本ＰＤＰは、デュアルスキャン方式のＰＤＰでありうる。すなわち、ＰＤＰの中心を通過する第１方向軸を基準に第２方向に延長するアドレス電極が上部と下部とに分れて配され、上部のアドレス電極と下部のアドレス電極とには独立的にアドレス信号が印加される。
ＰＤＰの中心を通過する第１方向軸を基準に、対応する上部と下部それぞれのＹ電極は互いに電気的に連結され、同じスキャン信号が印加されるように構成されてもよい。
【発明の効果】
【０００９】
本発明のＰＤＰは、総スキャン時間を半分に短縮でき、かつ、デュアルスキャン方式を採用することによって、スキャン時間をさらに半分に短縮させることができる。すなわち、図１に示した従来のＰＤＰに比べて、総スキャン時間を１／４に短縮させることができる。このような構成を採用することによって、スキャンラインをさらに半分に短縮させることができる。すなわち、図１に示した従来のＰＤＰに比べて、総スキャン時間を１／４に短縮させることができる。
【図面の簡単な説明】
【００１０】
【図１】従来のＰＤＰで放電セルの配置及び維持電極とアドレス電極との配置を示す図面である。
【図２】本発明の一実施形態によるＰＤＰでの放電セルの配置及び維持電極とアドレス電極との配置を示す図面である。
【図３】本発明の他の実施形態によるＰＤＰでの放電セルの配置及び維持電極とアドレス電極との配置を示す図面である。
【図４】本発明のさらに他の実施形態によるＰＤＰでの放電セルの配置及び維持電極とアドレス電極との配置を示す図面である。
【図５】本発明のさらに他の実施形態によるＰＤＰでの放電セルの配置及び維持電極とアドレス電極との配置を示す図面である。
【図６】図２に示したＰＤＰの電極駆動方法を示すための図面である。
【図７】本発明のさらに他の実施形態によるＰＤＰでの電極駆動方法を示すための図面である。
【図８】本発明のさらに他の実施形態によるＰＤＰでの電極駆動方法を示すための図面である。
【発明を実施するための形態】
【００１１】
以下、交流三電極面放電型ＰＤＰ（Ｐｌａｓｍａ Ｄｉｓｐｌａｙ Ｐａｎｅｌ）を例として本発明の実施形態について説明する。図面には図示されていないが、一実施形態によるＰＤＰは前面パネルと背面パネルとを備える。前面パネルは、前面基板、複数の維持電極、前面誘電体層、及び保護層を備えることができる。背面パネルは、背面基板、複数のアドレス電極、背面誘電体層、隔壁、及び蛍光体層を備えることができる。本発明で前面基板と背面基板は、それぞれ第１基板と第２基板でありうる。また前面誘電体層と背面誘電体層は、それぞれ第１誘電体層と第２誘電体層でありうる。第１基板及び第２基板は、離隔して対向するように配される。第１基板の下部には維持電極が形成される。維持電極対は第１基板を横切って延びる。第１誘電体層は維持電極を埋め込むように第１基板に塗布される。第１誘電体層には保護層が形成されている。第２基板の上部に形成されたアドレス電極は第２基板を横切って長く延び、維持電極と交差する。第２誘電体層は、アドレス電極を埋め込むように第２基板に塗布される。第１基板と第２基板との間には放電空間を複数の放電セルに区画する隔壁が形成されている。隔壁は、四角隔壁、二重四角隔壁、またはストライプ隔壁でありうる。放電セルの内部には蛍光体層が塗布される。
【００１２】
これより、本発明の実施形態によるＰＤＰの放電セル及び電極の配置を、添付した図面を参照して詳細に説明する。図２は、本発明の一実施形態によるＰＤＰでの放電セルの配置及び維持電極とアドレス電極との配置を示す図面である。
表示領域での放電セルは、Ｒ放電セル、Ｇ放電セル、Ｂ放電セルで形成されている。本発明では、高解像度のＰＤＰに適用するために、二つの放電セルが集まって一つの画素Ｐ１、Ｐ２をなすように構成される。三つの放電セルが集まって一つの画素をなすのに比べて、二つの放電セルのみで一つの画素Ｐ１、Ｐ２をなすため、高解像度のＰＤＰに適している。
【００１３】
一方、Ｒ、Ｇ、Ｂ放電セルのうちＧ放電セルが位置情報を表すのに最も寄与するため、Ｇ放電セルが解像度を決定するのに最も寄与する。したがって、Ｇ放電セルとＲ放電セルとが集まって一つの画素をなすように構成されるか、Ｇ放電セルとＢ放電セルとが集まって一つの画素をなすように構成される。そして、ＰＤＰの表示領域内にある前記Ｒ放電セル、前記Ｇ放電セル、及び前記Ｂ放電セルの全体数比がほぼ１：２：１である。すなわち、Ｘ電極が延長する第１方向にＢ、Ｇ、Ｒ、Ｇ、Ｂ、Ｇ、Ｒ、Ｇ放電セルの順に放電セルが配される。Ｂ放電セルとＧ放電セルとで形成された画素Ｐ１に第２方向に隣接した画素として、Ｒ放電セルとＧ放電セルとで形成された画素Ｐ２が配される。そして、第２方向に隣接した各画素Ｐ１、Ｐ２のＧ放電セルが第１方向に放電セルピッチの１／２ほどずつ離隔するように、第２方向に隣接した画素Ｐ１、Ｐ２が配される。
【００１４】
図２に示した実施形態で、維持電極は、各放電セルごとにＸ電極Ｘ１、Ｘ２及びＹ電極Ｙ１、Ｙ２を備える。すなわち、維持電極は、第２方向にＸ１、Ｙ１、Ｙ２、Ｘ２の順に配される。アドレス電極Ａ１、Ａ２、Ａ３は、各放電セルごとに維持電極Ｘ１、Ｘ２、Ｙ１、Ｙ２と交差するように配される。すなわち、アドレス電極Ａ１は、第１行のＢ放電セルに対応するように配され、アドレス電極Ａ２は第２行のＧ放電セルに対応するように配され、アドレス電極Ａ３は第１行のＧ放電セルに対応するように配され、アドレス電極Ａ４は第２行のＢ放電セルに対応するように配される。このように、放電セルを１／２ピッチほどずつ第１方向に離隔させるため、追加的なアドレス電極を挿入することができる。それにより、第２方向に隣接した放電セルのＹ電極Ｙ１、Ｙ２に印加されるスキャン信号は同じ信号でありうる。したがって、スキャン信号が印加されるスキャンラインを半分に低減させることができる。
【００１５】
これについては、図３を参照して詳細に説明する。図３は、図２に示したＰＤＰの電極駆動方法を示すための図面である。アドレス電極は、端子部（図示せず）と信号伝達手段（図示せず）とを通じてアドレス電極駆動ドライバ２００に電気的に連結される。またＹ電極は、端子部（図示せず）と信号伝達手段（図示せず）とを通じてスキャン電極駆動ドライバ１００に電気的に連結される。またＸ電極は、端子部（図示せず）と信号伝達手段（図示せず）とを通じて共通電極駆動ドライバ３００に電気的に連結される。
ところが、第１方向に隣接したアドレス電極のうち、奇数番目のアドレス電極Ａ１、Ａ３、Ａ５、Ａ７、…は奇数行の放電セルを選択するのに使われる一方、第１方向に隣接したアドレス電極のうち、偶数番目のアドレス電極Ａ２、Ａ４、Ａ６、Ａ８、…は偶数行の放電セルを選択するのに使われる。したがって、第２方向に隣接した奇数行及び偶数行の放電セルに配されたＹ電極Ｙ１、Ｙ２には同じスキャン信号が入ることができる。したがって、Ｙ１及びＹ２電極は電気的に連結され、スキャン電極駆動ドライバ１００からスキャン信号を印加される。４０９６×１０８０画素を持つ超高解像度のＰＤＰを例にすれば、１回のアドレス放電時に合計２１６０回のスキャンが要求される図１に示した従来技術とは異なって、本発明では合計１０８０回のスキャンのみ要求される。すなわち、スキャンラインが１０８０個であって、従来の２１６０個に対して１／２に減少する。
【００１６】
各行の放電セルに配されたＸ電極Ｘ１、Ｘ２、Ｘ３、Ｘ４は共通電極であって、互いに電気的に連結された状態で共通電極駆動ドライバ３００に連結される。Ｙ１及びＹ２電極に同じスキャン信号を印加し、アドレス電極Ａ１ないしＡ７に選択的にアドレス信号を印加することによって、二行の放電セルに対する選択を１回のスキャンで行うことができる。したがって、スキャン信号が印加されるスキャンラインの数が従来に比べて１／２に減少し、スキャンにかかる総時間も１／２に減少する効果がある。結果的に、高解像度及び超高解像度のＰＤＰで各画像フレームの各サブフィールド毎のアドレス放電時、各行の放電セルをスキャンするのに必要な時間を十分に確保することができる。それだけでなく、Ｙ１及びＹ２電極に印加されるスキャン信号の数を１／２に減らすことができるため、スキャン駆動回路を備えるスキャン駆動ドライバが１／２に簡略化される効果がある。
【００１７】
図４は、本発明の他の実施形態によるＰＤＰでの放電セルの配置及び維持電極とアドレス電極との配置を示す図面である。この実施形態の放電セルの配置及びアドレス電極の配置は、図２に示した実施形態の放電セルの配置及びアドレス電極の配置と同一である。しかし、図２に示した実施形態とは異なって、本実施形態でのＹ電極Ｙｃｏｍ１は共通電極であって、言い換えれば、一つのＹ電極Ｙｃｏｍ１は、第２方向に互いに隣接した二行の放電セルに共通的に適用される。したがって、Ｙ電極Ｙｃｏｍ１に印加されるスキャン電圧は、第１行の放電セルだけでなく、第２行の放電セルにも共通的に印加される。一つのＹ電極Ｙｃｏｍ１が二行の放電セルを担当するので、Ｙ電極の数を１／２に低減させることができる。このためにＹ電極Ｙｃｏｍ１の幅が広くなりうる。またアドレス電極Ａ１、Ａ２、Ａ３、Ａ４が二行の放電セルいずれにも対応するように配されている。
図面には図示されていないが、アドレス電極はアドレス電極駆動ドライバに、Ｙ電極はスキャン電極駆動ドライバに、そしてＸ電極は共通電極駆動ドライバに電気的に連結される。Ｙ電極にスキャン信号を印加し、アドレス電極に選択的にアドレス信号を印加することによって、二行の放電セルに対する選択を１回のスキャンだけで行うことができる。したがって、スキャン信号が印加されるスキャンラインの数が従来に比べて１／２に減少し、スキャンにかかる総時間も１／２に減少する効果がある。結果的に高解像度及び超高解像度のＰＤＰで各画像フレームの各サブフィールド毎のアドレス放電時、各行の放電セルをスキャンするのに必要な時間を十分に確保することができる。それだけではなく、Ｙ１及びＹ２電極に印加されるスキャン信号の数を１／２に低減させることができるため、スキャン駆動回路を備えるスキャン駆動ドライバが１／２に簡略化される効果がある。
【００１８】
図５は、本発明のさらに他の実施形態によるＰＤＰでの放電セルの配置及び維持電極とアドレス電極との配置を示す図面である。この実施形態の放電セル及びアドレス電極Ａ１、Ａ２、Ａ３、Ａ４の配置は、図２に示した実施形態の放電セル及びアドレス電極の配置と同一である。しかし、図２に示した実施形態とは異なって、本実施形態での維持電極の配置はＸ１、Ｙ１、Ｘ２、Ｙ２、Ｘ３、Ｙ３、Ｘ４、Ｙ４、…の順序である。図３で説明したように、Ｙ電極Ｙ１と隣接した他のＹ電極Ｙ２とは電気的に連結されて同じスキャン信号が印加される。
図面には図示されていないが、アドレス電極はアドレス電極駆動ドライバに、Ｙ電極はスキャン電極駆動ドライバに、そしてＸ電極は共通電極駆動ドライバに電気的に連結される。Ｙ電極にスキャン信号を印加し、アドレス電極に選択的にアドレス信号を印加することによって、二行の放電セルに対する選択を１回のスキャンだけで行うことができる。
隣接した二行の放電セルに配された二行のＹ電極Ｙ１、Ｙ２には同じスキャン信号が印加されるため、スキャン信号が印加されるスキャンラインの数が従来に比べて１／２に減少し、スキャンにかかる総時間も１／２に減少する効果がある。結果的に高解像度及び超高解像度のＰＤＰで各画像フレームの各サブフィールド毎のアドレス放電時、各行の放電セルをスキャンするのに必要な時間を十分に確保することができる効果がある。それだけではなく、Ｙ１及びＹ２電極に印加されるスキャン信号の数を１／２に減らすことができるため、スキャン駆動回路を備えるスキャン駆動ドライバが１／２に簡略化される効果がある。
【００１９】
図６は、本発明のさらに他の実施形態によるＰＤＰでの放電セルの配置及び維持電極とアドレス電極との配置を示す図面である。この実施形態の電極の配置は、図２に示した実施形態の電極の配置と同一である。しかし、図２に示した実施形態では、上行の放電セルの配置がＢ、Ｇ、Ｒ、Ｇ、Ｂ、Ｇ、…順であり、隣接する下行に対応する放電セルの配置がＲ、Ｇ、Ｂ、Ｇ、Ｒ、Ｇ、…順である一方、本実施形態では、上行の放電セルの配置がＢ、Ｇ、Ｒ、Ｇ、Ｂ、Ｇ、…順であり、対応する下行の放電セルの配置がＢ、Ｇ、Ｒ、Ｇ、Ｂ、Ｇ、…の順であるという点で二つの実施形態が相異なる。
本実施形態が持つ効果は、図２及び図３に示した実施形態が持つ効果と類似している。すなわち、スキャン信号が印加されるスキャンラインの数が従来に比べて１／２に減少し、スキャンにかかる総時間も１／２に減少する効果がある。結果的に高解像度及び超高解像度のＰＤＰで各画像フレームの各サブフィールド毎のアドレス放電時、各行の放電セルをスキャンするのに必要な時間を十分に確保することができる効果がある。それだけではなく、Ｙ１及びＹ２電極に印加されるスキャン信号の数を１／２に減らすことができるため、スキャン駆動回路を備えるスキャン駆動ドライバが１／２に簡略化される効果がある。
【００２０】
図７は、本発明の他の実施形態によるＰＤＰでの電極駆動方法を示すための図面である。この実施形態の放電セル及び維持電極Ｘ１、Ｙ１、Ｙ２、Ｘ２、Ｘ３、Ｙ３、Ｙ４、Ｘ４、…、Ｘｎ−３、Ｙｎ−３、Ｙｎ−２、Ｘｎ−２、Ｘｎ−１、Ｙｎ−１、Ｙｎ、Ｘｎの配置は、図２に示した実施形態の放電セル及び維持電極の配置と同一である。しかし、図２に示した実施形態とは異なって、本実施形態のＰＤＰはデュアルスキャン方式を採用する。すなわち、第２方向に延長するアドレス電極Ａｕ１、Ａｕ２、…、Ａｕ７、Ａｕ８、ＡＬ１、ＡＬ２、…、ＡＬ７、ＡＬ８が上部と下部とに半分ずつ分割されて形成され、これに対応して、アドレス電極にアドレス信号を印加するアドレス電極駆動ドライバ２１０、２２０も上部と下部とにそれぞれ配される。
デュアルスキャン方式は、アドレス放電中に上部と下部のアドレス電極Ａｕ１、Ａｕ２、…、Ａｕ７、Ａｕ８、ＡＬ１、ＡＬ２、…、ＡＬ７、ＡＬ８にいずれもアドレス信号を印加するため、アドレス放電にかかる時間を１／２に低減させることができる効果がある。また、先の実施形態のように、スキャン信号が印加されるスキャンラインの数が従来に比べて１／２に減少し、スキャンにかかる時間も１／２に減少する効果がある。結果的に高解像度及び超高解像度のＰＤＰで各画像フレームの各サブフィールド毎のアドレス放電時、各行の放電セルをスキャンするのに必要な時間を十分に確保することができる効果がある。
【００２１】
それだけではなく、図８に示したように、Ｙ１及びＹ２電極に共通的に印加されるスキャン信号と同じスキャン信号をＹｎ及びＹｎ−１電極に印加し、Ｙ３及びＹ４電極に共通的に印加されるスキャン信号と同じスキャン信号をＹｎ−２及びＹｎ−３電極に印加できる。４０９６×１０８０画素を持つ超高解像度のＰＤＰを例とすれば、１回のアドレス放電時に合計２１６０回のスキャンが要求される図１に示した従来技術とは異なって、本実施形態では合計５４０回のスキャンのみ要求される。すなわち、スキャンラインが５４０個であって、従来の２１６０個より１／４に減少する。したがって、スキャンにかかる総時間も１／４に減少する効果がある。そして、スキャン駆動回路を備えるスキャン駆動ドライバも１／４に簡略化される効果がある。結果的に高解像度及び超高解像度のＰＤＰで各画像フレームの各サブフィールド毎のアドレス放電時、各行の放電セルをスキャンするのに必要な時間を十分に確保することができる。
【符号の説明】
【００２２】
１００  スキャン電極駆動ドライバ
２００  アドレス電極駆動ドライバ
３００  共通電極駆動ドライバ
Ａ１、Ａ２、Ａ３、Ａ４  アドレス電極
Ｐ１、Ｐ２  画素
Ｘ１、Ｘ２、Ｙ１、Ｙ２  維持電極
【図１】
2010034053.tif 000003
【図２】
2010034053.tif 000004
【図３】
2010034053.tif 000005
【図４】
2010034053.tif 000006
【図５】
2010034053.tif 000007
【図６】
2010034053.tif 000008
【図７】
2010034053.tif 000009
【図８】
2010034053.tif 000010